(57)【特許請求の範囲】
【請求項１】
光ファイバの端面が押し当てられてこれを平滑処理する加熱面を備えたプラスチック製光ファイバ成端用のホットプレート加熱器において、
一体に組み立てられて四角箱形状で、前記加熱面の裏面に当接されるヒータを収容する筐体を構成する下部分割筐体及び上部分割筐体を有し、
前記下部分割筐体には、四角板形状の底壁と、該底壁の隣り合う２側縁より上方に起立する一対の第１側壁及び第２側壁と、該第１側壁の上縁上に一定間隙をおいて折り重なるように前記第２側壁の上部を折曲して形成された上部分割筐体押え壁と、前記第２側壁の、前記第１側壁と隣接する側と反対側の側縁近傍に形成された嵌合溝と、前記底壁の前記第２側壁が位置する側とは反対側の側縁近傍に板厚方向に貫通形成された貫通孔とが備えられ、
前記上部分割筐体には、前記組み立て状態で前記第２側壁に接合する側縁に、前記嵌合溝に嵌合する嵌合突部が突出形成された第３側壁と、該第３側壁に隣接するとともに前記組み立て状態で前記底壁及び前記第１側壁と接合して前記貫通孔を通された組み立てネジが螺合する螺合部が下縁近傍に形成された第４側壁と、該第４側壁及び前記第３側壁の両方の上縁の間に連続形成されるとともに前記組み立て状態で前記第１側壁と前記上部分割筐体押え壁との間の前記一定間隙内に挟み込まれながら前記第１側壁及び前記上部分割筐体押え壁に接合し、前記加熱面を有する上壁とが備えられていることを特徴とするプラスチック製光ファイバ成端用のホットプレート加熱器。
【請求項２】
請求項１記載のプラスチック製光ファイバ成端用のホットプレート加熱器において、
前記第１側壁または前記第２側壁または前記上部分割筐体押え壁のいずれかに、前記上壁に形成された係合突部が係合する係合溝が形成されていることを特徴とするプラスチック製光ファイバ成端用のホットプレート加熱器。
【請求項３】
請求項１または２記載のプラスチック製光ファイバ成端用のホットプレート加熱器において、
前記上壁には、前記加熱面の周囲を多重に囲むとともにその周方向で複数に分断された放熱溝が複数形成され、
これら放熱溝の各分断箇所の位置は、その隣り合う放熱溝との分断箇所と齟齬状態となっていることを特徴とするプラスチック製光ファイバ成端用のホットプレート加熱器。
【請求項４】
請求項１または２記載のプラスチック製光ファイバ成端用のホットプレート加熱器において、
前記上壁には、前記加熱面の周囲に互いに平行な放熱溝が複数形成され、これらの放熱溝のうち少なくとも一つの放熱溝の長手方向の端部に隣接して、これらの放熱溝に対して所定角度を有する放熱溝が少なくとも一つ形成されていることを特徴とするプラスチック製光ファイバ成端用のホットプレート加熱器。
【発明の詳細な説明】
【０００１】
【発明の属する技術分野】
本発明は、プラスチック製光ファイバの成端に用いられる光ファイバ成端用のホットプレート加熱器に関するものである。
【０００２】
【従来の技術】
プラスチック製の光ファイバは、例えば、メタクリル樹脂等の繊維からなる芯材に、該芯材よりも屈折率の低いフッ素化メタクリル樹脂を被覆したものであり、光通信やライトガイド等の光伝送用途に利用されている。
この種の光ファイバの光通信等への適用に際しては、その端面を出来るだけ平滑に処理することが要求される。すなわち、この端面の仕上げが粗雑であると、結合損失が増加する要因になるので、これを極力抑えるために、平滑に仕上げる必要が有るのである。
【０００３】
この仕上げ方法の一つに、光ファイバの端面を平滑な加熱面に押し当てることで平滑化するホットプレート処理法がある。このホットプレート処理法では、例えば図８示すような光ファイバ成端用のホットプレート加熱器１が用いられている。この光ファイバ成端用のホットプレート加熱器１には、加熱面２が設けられており、これを例えば約１６０℃に加熱し、ここに垂直に光ファイバ３を、例えば５秒間〜１０秒間の間、光コネクタプラグ４ごと手で保持しながら押し付ける。その後、この押し付け状態を保ったまま加熱面２の加熱を止めることで、光ファイバ３の先端部分は、平滑な先端面を維持したまま冷却して固化され、端面処理が完了する。
【０００４】
【発明が解決しようとする課題】
ところで、上記説明の従来の光ファイバ成端用のホットプレート加熱器１は、以下に説明する問題を有していた。
すなわち、このホットプレート加熱器１は、図９に示すように、ヒータ本体５、筐体部品６、筐体部品７、筐体部品８、筐体部品９から構成され、多数本のネジ１０によって組み立てられるようになっているが、例えばこれを分解または組み立てする場合、多数本のネジ１０を締め付け／取り外ししなければならないので、工数が多く、時間と手間がかかって大変であるという問題である。
【０００５】
すなわち、組み立てを行う場合には、ヒータ本体５を筐体部品７内に取り付けてから４本のネジ１０で締め付けて固定し、その後、筐体部品７との間にヒータ本体５を挟み込むように筐体部品６を取り付けてからさらに４本のネジ１０で締め付けて固定し、その後、筐体部品６及び筐体部品７の上面に筐体部品８を取り付けてからさらに６本のネジ１０で締め付けて固定し、その後、筐体部品６及び筐体部品７の下面に筐体部品９を取り付けてからさらに７本のネジ１０で締め付けて固定することで組み立てが完了する。したがい、このホットプレート加熱器１の組み立てには、合計２１本のネジ１０を使用するので、締め付け作業を２１回繰り返すこととなる。これは分解も同様であり、合計２１本のネジ１０を外すために２１回の取り外し作業を繰り返すこととなる。
【０００６】
本発明は、上記事情を鑑みてなされたものであって、筐体部品の分解／組立を少ない工数で行うことができるとともに、分解後には容易に内部の部品にアクセスできる光ファイバ成端用のホットプレート加熱器の提供を目的とする。
【０００７】
【課題を解決するための手段】
本発明の光ファイバ成端用のホットプレート加熱器は、上記課題を解決するために以下の手段を採用した。
すなわち請求項１記載の光ファイバ成端用のホットプレート加熱器は、光ファイバの端面が押し当てられてこれを平滑処理する加熱面を備えた光ファイバ成端用のホットプレート加熱器において、一体に組み立てられて四角箱形状の筐体を構成する下部分割筐体及び上部分割筐体を有し、前記下部分割筐体には、四角板形状の底壁と、該底壁の隣り合う２側縁より上方に起立する一対の第１側壁及び第２側壁と、該第１側壁の上縁上に一定間隙をおいて折り重なるように前記第２側壁の上部を折曲して形成された上部分割筐体押え壁と、前記第２側壁の、前記第１側壁と隣接する側と反対側の側縁近傍に形成された嵌合溝と、前記底壁の前記第２側壁が位置する側とは反対側の側縁近傍に板厚方向に貫通形成された貫通孔とが備えられ、前記上部分割筐体には、前記組み立て状態で前記第２側壁に接合する側縁に、前記嵌合溝に嵌合する嵌合突部が突出形成された第３側壁と、該第３側壁に隣接するとともに前記組み立て状態で前記底壁及び前記第１側壁と接合して前記貫通孔を通された組み立てネジが螺合する螺合部が下縁近傍に形成された第４側壁と、該第４側壁及び前記第３側壁の両方の上縁の間に連続形成されるとともに前記組み立て状態で前記第１側壁と前記上部分割筐体押え壁との間の前記一定間隙内に挟み込まれながら前記第１側壁及び前記上部分割筐体押え壁に接合し、前記加熱面を有する上壁とが備えられていることを特徴とする。
【０００８】
上記請求項１記載の光ファイバ成端用のホットプレート加熱器によれば、その筐体の組み立ては、嵌合突部を嵌合溝に嵌合させることで第３側壁を第２側壁へ固定し、上壁を上部分割筐体押え壁と第１側壁との間の一定間隙内に挟み込ませ、底壁と第４側壁との間をネジ固定することで下部分割筐体と上部分割筐体とが組み立てられる。
また、組み立て後の筐体の分解は、底壁と第４側壁とを結合している組み立てネジを取り外した後、嵌合溝と嵌合突部との嵌合状態を解いて第２側壁から第３側壁を外すとともに、上部分割筐体押え壁と第１側壁との間の一定間隙内から上壁を引き抜くことで行われる。このようにして上部分割筐体を取り除く１工程で、四角箱形状の筐体の３面を構成する上壁と第３側壁と第４側壁とが取り去られる。
【０００９】
また、請求項２記載の光ファイバ成端用のホットプレート加熱器は、請求項１記載の光ファイバ成端用のホットプレート加熱器において、前記第１側壁または前記第２側壁または前記上部分割筐体押え壁のいずれかに、前記上壁に形成された係合突部が係合する係合溝が形成されていることを特徴とする。
【００１０】
上記請求項２記載の光ファイバ成端用のホットプレート加熱器によれば、係合突部を係合溝に係合させることで、上壁が第１側壁または第２側壁または上部分割筐体押え壁のいずれかに固定される。すなわち、下部分割筐体に上壁がより確実に固定される。
【００１１】
また、請求項３記載の光ファイバ成端用のホットプレート加熱器は、請求項１または２記載の光ファイバ成端用のホットプレート加熱器において、前記上壁には、前記加熱面の周囲を多重に囲むとともにその周方向で複数に分断された放熱溝が複数形成され、これら放熱溝の各分断箇所の位置が、その隣り合う放熱溝との分断箇所と齟齬状態となっていることを特徴とする。
【００１２】
上記請求項３記載の光ファイバ成端用のホットプレート加熱器によれば、加熱面から上壁を伝わって筐体に逃げる熱の経路は、細くて迷路状の経路となり、熱が逃げにくくなる。
【００１３】
また、請求項４記載の光ファイバ成端用のホットプレート加熱器は、請求項１または２記載の光ファイバ成端用のホットプレート加熱器において、前記上壁には、前記加熱面の周囲に互いに平行な放熱溝が複数形成され、これらの放熱溝のうち少なくとも一つの放熱溝の長手方向の端部に隣接して、これらの放熱溝に対して所定角度を有する放熱溝が少なくとも一つ形成されていることを特徴とする。
【００１４】
上記請求項４記載の光ファイバ成端用のホットプレート加熱器によれば、加熱面から上壁を伝わって筐体に逃げる熱の経路が制限され、熱が逃げにくくなる。
【００１５】
【発明の実施の形態】
本発明の光ファイバ成端用のホットプレート加熱器は、光ファイバの端面が押し当てられてこれを平滑処理する加熱面を備えたものであり、その一実施形態を、図面を参照しながら以下に説明するが、本発明がそれらに限定解釈されるものでないことはもちろんである。
【００１６】
図１に示すように、本実施形態の光ファイバ成端用のホットプレート加熱器は、一体に組み立てられて四角箱形状の筐体１１を構成する下部分割筐体１２及び上部分割筐体１３を備えている。なお、図１では説明のためにヒータや回路等の内部部品を省略している。
下部分割筐体１２は、四角板形状の底壁１４と、該底壁１４の隣り合う側縁１４ａ及び１４ｂより垂直上方に起立する一対の第１側壁１５及び第２側壁１６と、該第１側壁１５の上縁１５ａ上に一定間隙ｔ（図４も参照のこと）をおいて折り重なるように第２側壁１６の上部を折曲して形成された上部分割筐体押え壁１７と、第２側壁１６の、第１側壁１５と隣接する側と反対側の側縁１６ａ近傍に形成された嵌合溝１６ｂと、底壁１４の、第２側壁１６が位置する側とは反対側の側縁１４ｃ近傍に板厚方向に貫通形成された一対の貫通孔１４ｄ及び１４ｅとを有している。
【００１７】
さらに、底壁１４の、側縁１４ｂとは反対側の側縁１４ｆの部分は、垂直上方に折曲加工されるとともに、前記回路からの電源ケーブル（図示せず）を通してこれを固定する貫通孔１８ａが形成された電源ケーブル固定壁１８となっている。なお、以上説明の底壁１４及び第２側壁１６及び上部分割筐体押え壁１７及び電源ケーブル固定壁１８は、一枚の金属板（例えばアルミ板など）を打ち抜いたものを折曲加工したものであるが、第１側壁１５は、これと別体であり、その下端に２箇所形成された取り付け部１５ｂ及び１５ｃに２本のネジ１９ａ及び１９ｂをそれぞれ通して底壁１４にネジ止め固定されている。これら第１側壁１５及びネジ１９ａ及び１９ｂは、製造組み立て時に固定された後は、底壁１４と一体となって取り外さないようになっている。すなわち、筐体１１の分解が必要となった場合には、上部分割筐体１３と下部分割筐体１２とを分離するだけで十分に前記内部部品にアクセスすることができるので、第１側壁１５まで外す必要がないのである。
【００１８】
なお、第１側壁１５及び第２側壁１６及び上部分割筐体押え壁１７には、筐体１１内からの放熱を目的として多数のスリットが形成されているが、図１では説明のためにこれらが省略されている。第１側壁１５に形成されている貫通部分１５ｄは、上部分割筐体１３の加熱面２０の裏面に当接されるヒータ（図示せず）を昇降動作させるためのレバー（図示せず）が通される箇所であり、同じく第１側壁１５に形成されている貫通孔１５ｅは、前記ヒータの温度を設定する設定つまみ（図示せず）が通される箇所である。
【００１９】
上部分割筐体１３は、組み立て状態で第２側壁１６の斜線部分に接合する側縁２１ａに、嵌合溝１６ｂに嵌合する嵌合突部２１ｂが突出形成された第３側壁２１と、該第３側壁２１に隣接するとともに組み立て状態で底壁１４の斜線部分及び第１側壁１５の側縁１５ｆと接合して、貫通孔１４ｄ及び１４ｅを通された組み立てネジ２２ａ及び２２ｂがそれぞれ螺合する一対の雌ネジである螺合部２３ａ及び２３ｂが下縁２３ｃ近傍に形成された第４側壁２３と、該第４側壁２３及び第３側壁２１の両方の上縁２３ｄ及び２１ｃの間に連続形成されるとともに組み立て状態で第１側壁１５と上部分割筐体押え壁１７との間の前記一定間隙ｔ内に挟み込まれながら第１側壁１５及び上部分割筐体押え壁１７に接合する四角板形状の上壁２４とを備えている。
【００２０】
なお、第３側壁２１の鉛直方向長さは、電源ケーブル固定壁１８の高さｈ１と等しい寸法であるｈ２分だけ第４側壁２３よりも短くなっている。
以上説明の第３側壁２１及び第４側壁２３及び上壁２４は、一枚の金属板（例えばアルミ板など）を打ち抜いたものを折曲加工したものであり、これらには、筐体１１内からの放熱を目的として多数のスリットが形成されているが、図１では説明のためにこれらが省略されている。ただし、本発明の光ファイバ成端用のホットプレート加熱器では、上壁２４に形成された放熱溝にも特徴があるので、これについては図２及び図３を参照しながら以下に説明を続ける。
【００２１】
図２に示す実施形態においては、上壁２４には、図示されない光ファイバの端面が押し当てられてこれを加熱して平滑処理する加熱面２０が設けられており、この加熱面２０の周囲に、これを多重に囲むとともにその周方向で複数に分断された放熱溝２５が複数形成され、これら放熱溝２５の各分断箇所２５ａの位置は、その隣り合う放熱溝２５の分断箇所２５ａと齟齬状態となっている。符号１７ａは、上部分割筐体押え壁１７に形成された放熱用のスリットである。
また、図３に示す実施形態においては、上壁２４には、図示されない光ファイバの端面が押し当てられてこれを加熱して平滑処理する加熱面２０が設けられており、この加熱面２０の周囲に、互いに平行な放熱溝２６が複数形成され、これら放熱溝２６の長手方向の端部に隣接して、これらの放熱溝２６に対して約９０度の角度を有する放熱溝２７が形成されている。
【００２２】
以上説明の本実施形態の光ファイバ成端用のホットプレート加熱器の筐体１１の組み立て方法及び分解方法について、以下に説明を行う。
組み立ては、図１の太い矢印に示すように、下部分割筐体１２に対して上部分割筐体１３を水平にスライドさせて取り付けることで行う。すなわち、嵌合突部２１ｂを嵌合溝１６ｂに嵌合させることで第３側壁２１を第２側壁１６に固定し、上壁２４を上部分割筐体押え壁１７と第１側壁１５との間の一定間隙ｔ内に挟み込ませ、底壁１４と第４側壁２３との間を組み立てネジ２２ａ及び２２ｂで固定することで、下部分割筐体１２と上部分割筐体１３とが一体に組み立てられる。これによって図４、図５に示す組み立て状態となる。なお、これらの図では、説明のために放熱用のスリットが省略されている。
【００２３】
また、組み立て後の筐体１１の分解は、底壁１４と第４側壁２３とを結合している組み立てネジ２２ａ及び２２ｂを取り外した後、嵌合溝１６ｂと嵌合突部２１ｂとの嵌合状態を解いて第２側壁１６から第３側壁２１を外すとともに、上部分割筐体押え壁１７と第１側壁１５との間の一定間隙ｔ内から上壁２４を引き抜くことで行われる。このようにして上部分割筐体１３を取り除く１工程で、四角箱形状の筐体１１の３面を構成する上壁２４と第３側壁２１と第４側壁２３とが取り去られる。
【００２４】
本実施形態の光ファイバ成端用のホットプレート加熱器によれば、その筐体１１を、底壁１４及び第１側壁１５及び第２側壁１６及び上部分割筐体押え壁１７を有する下部分割筐体１２と、上壁２４及び第３側壁２１及び第４側壁２３を有する上部分割筐体１３との２分割構造とし、さらに、これらの組み立てにおいては、嵌合突部２１ｂを嵌合溝１６ｂに嵌合させることで第３側壁２１を第２側壁１６へ固定し、上壁２４を上部分割筐体押え壁１７と第１側壁１５との間の一定間隙ｔ内に挟み込ませ、底壁１４と第４側壁２３との間のみをネジ固定するだけで下部分割筐体１２と上部分割筐体１３とを組み立てられる構成を採用したことで、ネジ固定を行う箇所が少ない上に、主な筐体部品数が下部分割筐体１２と上部分割筐体１３との２点だけと少ないので、筐体の分解／組立を少ない工数で行うことが可能となる。さらには、分解において、上部分割筐体１３を取り除く１工程で四角箱形状の筐体１１の３面を構成する上壁２４と第３側壁２１と第４側壁２３とが取り去られるので、容易に前記内部部品にアクセスすることも可能となる。
【００２５】
また、上記実施形態の光ファイバ成端用のホットプレート加熱器において、図２に示すように、上壁２４に、加熱面２０の周囲を多重に囲むとともにその周方向で複数に分断された放熱溝２５が複数形成され、これら放熱溝２５の各分断箇所２５ａの位置が、その隣り合う放熱溝２５の分断箇所２５ａと齟齬状態となる構成を採用したことで、加熱面２０から上壁２４を伝わって筐体１１に逃げる熱の経路は、例えば図２に示す経路Ｈのような細くて迷路状の経路となるので、熱を逃げにくくして熱損失量を低減させることが可能となる。
また、図３に示すように、上壁２４の加熱面２０の周囲に互いに平行な放熱溝２６を複数形成し、これらの放熱溝２６の長手方向の端部に隣接して、これらの放熱溝２６に対して所定角度を有する放熱溝２７を形成する構成を採用した場合も、加熱面２０から上壁２４を伝わって筐体１１に逃げる熱の経路は、図３に示す経路Ｈのように細い経路となるので、熱を逃げにくくして熱損失量を低減させることが可能となる。
【００２６】
なお、上記実施形態において、上部分割筐体押え壁１７及び第１側壁１５への上壁２４の取り付けは、前記一定間隙ｔ内に上壁２４を挟み込むだけとしたが、これに限らず、例えば図６に示すように、第１側壁１５の上縁１５ａに係合溝３０ａを形成するとともに上壁２４に係合突部３０ｂを形成し、これらを係合させるようにしても良い。
【００２７】
さらには、例えば図７に示すように、第１側壁１５の側縁１５ｆに係合突部３１ａを形成するとともに第４側壁２３に係合溝３１ｂを形成し、これらを係合させるようにしても良い。
以上のように、第１側壁１５または第２側壁１６または上部分割筐体押え壁１７のいずれかに係合溝を形成するとともに、上壁２４に係合突部を形成してこれらを係合させるか、もしくは第４側壁２３に係合溝３１ｂを形成するとともに、第１側壁１５に係合突部３１ａを形成してこれらを係合させる構成を採用することで、上壁２４を下部分割筐体１２に係合固定することができるので、上部分割筐体１３をより確実に下部分割筐体１２に固定することが可能となる。
【００２８】
また、上記実施形態では、２本の取り付けネジ２２ａ及び２２ｂを用いて第４側壁２３を底壁１４に固定するものとしたが、これに限らず、さらに少ないネジ本数として例えば１本の取り付けネジで固定するようにし、さらに筐体１１の組み立て工数を減らすようにしても良い。
【００２９】
また、上記実施形態では、第１側壁１５を、底壁１４及び第２側壁１６及び上部分割筐体押え壁１７と別体とし、ネジ１９ａ及び１９ｂで締め付け固定するものとしたが、これに限らず、底壁１４及び第２側壁１６及び上部分割筐体押え壁１７と一体（一枚の金属板を打ち抜いたもの）とし、第１側壁１５にあたる部分を折曲加工して第１側壁１５を形成するものとしても良い。
また、前記電源ケーブルは、電源ケーブル固定壁１８の貫通孔１８ａを通すものとしたが、これに限らず、第２側壁１６に貫通孔１８ａを形成してここを通すようにしたり、または、電源ケーブル固定壁１８をなくして、代わりに第３側壁２１をｈ２だけ長くしてここに前記電源ケーブルを通すスリット（図示せず）を形成し、ここを通すようにしても良い。
また、図３に示す実施形態においては、放熱溝２６と放熱溝２７とがなす角度を約９０度としているが、この角度は、加熱面２０から上壁２４を伝わって筐体１１に逃げる熱の経路（図３に示す経路Ｈ）を十分に細くすることができる範囲で適宜設定することが可能である。
【００３０】
【発明の効果】
本発明の上記請求項１記載の光ファイバ成端用のホットプレート加熱器によれば、その筐体を、底壁及び第１側壁及び第２側壁及び上部分割筐体押え壁を有する下部分割筐体と、上壁及び第３側壁及び第４側壁を有する上部分割筐体との２分割構造とし、さらに、これらの組み立てにおいて、嵌合突部を嵌合溝に嵌合させることで第３側壁を第２側壁へ固定し、上壁を上部分割筐体押え壁と第１側壁との間の一定間隙内に挟み込ませ、底壁と第４側壁との間のみをネジ固定するだけで下部分割筐体と上部分割筐体とを組み立てられる構成を採用したことで、ネジ固定を行う箇所が少ない上に、主な筐体部品数が下部分割筐体と上部分割筐体との２点だけと少ないので、筐体の分解／組立を少ない工数で行うことが可能となる。
さらには、分解後において、上部分割筐体を取り除く１工程で四角箱形状の筐体の３面を構成する上壁と第３側壁と第４側壁とが取り去られるので、容易に内部の部品にアクセスすることも可能となる。
【００３１】
また、上記請求項２記載の光ファイバ成端用のホットプレート加熱器によれば、第１側壁または第２側壁または上部分割筐体押え壁のいずれかに、上壁に形成された係合突部が係合する係合溝を形成する構成を採用することで、上壁を下部分割筐体に係合固定することができるので、上部分割筐体をより確実に下部分割筐体に固定することが可能となる。
【００３２】
また、上記請求項３記載の光ファイバ成端用のホットプレート加熱器によれば、上壁に、加熱面の周囲を多重に囲むとともにその周方向で複数に分断された放熱溝が複数形成され、これら放熱溝の各分断箇所の位置が、その隣り合う放熱溝との分断箇所と齟齬状態となっている構成を採用することで、加熱面から上壁を伝わって筐体に逃げる熱の経路が、細くて迷路状の経路となるので、熱を逃げにくくして熱損失量を低減させることが可能となる。
【００３３】
また、上記請求項４記載の光ファイバ成端用のホットプレート加熱器によれば、上壁の加熱面の周囲に互いに平行な放熱溝が複数形成され、これら放熱溝のうち少なくとも一つの放熱溝の長手方向の端部に隣接して、これら放熱溝に対して所定角度を有する放熱溝が少なくとも一つ形成された構成を採用することで、加熱面から上壁を伝わって筐体に逃げる熱の経路が細くなるので、熱を逃げにくくして熱損失量を低減させることが可能となる。
【図面の簡単な説明】
【図１】  本発明の光ファイバ成端用のホットプレート加熱器の一実施形態を示す図であって、斜視で見た組立図である。
【図２】  同光ファイバ成端用のホットプレート加熱器の組み立て状態を示す図であって、平面図である。
【図３】  同光ファイバ成端用のホットプレート加熱器の組み立て状態を示す図であって、平面図である。
【図４】  同光ファイバ成端用のホットプレート加熱器の組み立て状態を示す図であって、前面図である。
【図５】  同光ファイバ成端用のホットプレート加熱器の組み立て状態を示す図であって、後面図である。
【図６】  同光ファイバ成端用のホットプレート加熱器の筐体の変形例を示す図であって、要部の拡大斜視図である。
【図７】  同光ファイバ成端用のホットプレート加熱器の筐体の他の変形例を示す図であって、要部の拡大斜視図である。
【図８】  従来の光ファイバ成端用のホットプレート加熱器を示す図であって、斜視図である。
【図９】  同光ファイバ成端用のホットプレート加熱器を示す図であって、分解図である。
【符号の説明】
１１・・・筐体
１２・・・下部分割筐体
１３・・・上部分割筐体
１４・・・底壁
１４ａ、１４ｂ、１４ｃ、１６ａ、２１ａ・・・側縁
１４ｄ、１４ｅ・・・貫通孔
１５・・・第１側壁
１５ａ、２１ｃ、２３ｄ・・・上縁
１６・・・第２側壁
１６ｂ・・・嵌合溝
１７・・・上部分割筐体押え壁
２０・・・加熱面
２１・・・第３側壁
２１ｂ・・・嵌合突部
２２ａ、２２ｂ・・・組み立てネジ
２３・・・第４側壁
２３ａ、２３ｂ・・・螺合部
２３ｃ・・・下縁
２４・・・上壁
２５・・・放熱溝
２６、２７・・・放熱溝
２５ａ・・・分断箇所
３０ａ・・・係合溝
３０ｂ・・・係合突部
ｔ・・・一定間隙
【図１】
0004084907.tif 000002
【図２】
0004084907.tif 000003
【図３】
0004084907.tif 000004
【図４】
0004084907.tif 000005
【図５】
0004084907.tif 000006
【図６】
0004084907.tif 000007
【図７】
0004084907.tif 000008
【図８】
0004084907.tif 000009
【図９】
0004084907.tif 000010